(57)【要約】【課題】設置及び維持管理が簡易であり、また水量の微調整が可能な流量調整機能付スクリーンを提供する。【解決手段】水路に設置される流量調整機能付スクリーン１であって、塵埃の通過を阻止するスクリーン１０と、スクリーン１０に、上下方向の位置を調整可能に取り付けられる流量調整板２０と、水路の両側壁に設けられ、スクリーン１０及び流量調整板２０の少なくとも一方を保持するガイド部４０と、を備える。【選択図】図５
2008303644.tif 000002
【特許請求の範囲】
【請求項１】
水路に設置される流量調整機能付スクリーンであって、
塵埃の通過を阻止するスクリーンと、
前記スクリーンに、上下方向の位置を調整可能に取り付けられる流量調整板と、
前記水路の両側壁に設けられ、前記スクリーン及び前記流量調整板の少なくとも一方を保持するガイド部と、
を備えることを特徴とする調整機能付スクリーン。
【請求項２】
請求項１記載の流量調整機能付スクリーンにおいて、
前記流量調整板の片面に突起部が設けられると共に、前記スクリーンには、前記突起部に当該スクリーンを引っ掛けるための係合部が設けられ、
前記突起部及び前記係合部の少なくとも一方は高さ方向に複数段に設けられていることを特徴とする流量調整機能付スクリーン。
【発明の詳細な説明】
【技術分野】
【０００１】
本発明は、水路に設置される流量調整機能付スクリーンに関する。
【背景技術】
【０００２】
例えば河川等から取水するための水路には、一般に、流量調整を行なうための水門あるいは角落し（例えば特許文献１を参照）と、塵埃の流入を防止するためのスクリーンとが設けられる。
【特許文献１】特開２００４−２３８９４６号公報
【発明の開示】
【発明が解決しようとする課題】
【０００３】
しかし、従来、流量調整用の水門あるいは角落しと、塵埃流入防止用のスクリーンとは別個の設備として設けられていたため、各設備の設置スペースを確保する必要があり、また、各設備について取付架台等の付帯設備が必要となって、設置の手間がかかると共に、費用も嵩むという問題があった。
【０００４】
また、流量調整用設備として水門を用いた場合には、ゲートの開閉機構を含む大掛かりな設備が必要となり、コスト高になると共に、維持管理にも手間がかかるという問題があった。一方、流量調整用に特許文献１に開示されるような角落しを用いた場合には、水圧に抗して角落しの引き抜き・挿入を行なうことが必要となり、流量調整のための作業負担が大きいという問題があった。
【０００５】
本発明は、上記のような問題点に鑑みてなされたものであり、設備の設置や維持管理の手間やコストを抑えつつ、水路における流量調整と塵埃の流入防止を行なうことが可能な流量調整機能付スクリーンを提供することを目的とする。
【課題を解決するための手段】
【０００６】
第１の発明は、水路に設置される流量調整機能付スクリーンであって、
塵埃の通過を阻止するスクリーンと、
前記スクリーンに、上下方向の位置を調整可能に取り付けられる流量調整板と、
前記水路の両側壁に設けられ、前記スクリーン及び前記流量調整板の少なくとも一方を保持するガイド部と、
を備えることを特徴とする調整機能付スクリーンである。
【０００７】
第２の発明は、第１の発明に記載の流量調整機能付スクリーンにおいて、
前記流量調整板の片面に突起部が設けられると共に、前記スクリーンには、前記突起部に当該スクリーンを引っ掛けるための係合部が設けられ、
前記突起部及び前記係合部の少なくとも一方は高さ方向に複数段に設けられていることを特徴とする流量調整機能付スクリーンである。
【発明の効果】
【０００８】
設備の設置や維持管理の手間やコストを抑えつつ、水路における流量調整と塵埃の流入防止を行なうことが可能な流量調整機能付スクリーンを提供することができる。
【発明を実施するための最良の形態】
【０００９】
図１は、本発明の一実施形態である流量調整機能付スクリーン１の断面図であり、図２は、流量調整機能付スクリーン１の正面図である。図１及び図２に示すように、流量調整機能付スクリーン１は、スクリーン１０と流量調整板２０とを備えている。図３は、スクリーン１０の正面図であり、図４は流量調整板２０の正面図である。
【００１０】
スクリーン１０は塵埃が通過するのを防止するためのものであり、図３に例示するように、枠体１０Ａの内側に、縦方向に延びる縦格子１０Ｂが所定間隔で横方向に並べて設けられ、高さ方向の略中央部に横方向に延びる横格子１０Ｃが設けられた面格子状の構成を有している。かかる構成により、縦格子１０Ｂの上記所定間隔（例えば５０ｍｍ）を超える寸法の塵埃がスクリーン１０を通過するのを防止できる。
【００１１】
流量調整板２０は、水の流量を調整するためのものであり、図１及び図４に例示するように、平板状の部材により構成されている。流量調整板２０には、その片面に複数のフック３０が設けられていると共に、上辺に、当該流量調整板２０を手作業で運搬や上下移動するための把手２１が設けられている。フック３０は、上下複数段の各高さ位置に例えば左右１個ずつ設けられている。
【００１２】
図１に示すように、スクリーン１０の枠体１０Ａの上辺を何れかの段のフック３０に引っ掛けることにより、スクリーン１０を流量調整板２０に保持する。すなわち、本実施形態では、枠体１０Ａの上辺が本発明の「係合部」に相当する。
【００１３】
図１に示すように流量調整機能付スクリーン１はスクリーン１０の下辺が水底に着地するように据え付けられるので、流量調整板２０を上下移動してスクリーン１０を引っ掛けるフック３０の高さを変えることにより、流量調整板２０の高さを変更することができ、これに応じて、流量調整機能付スクリーン１の下辺と水底との間の間隔（つまり、通過する水流量）を調整することができる。
【００１４】
なお、スクリーン１０及び流量調整板２０は、水中でも腐食することがないように例えばアルミニウムや、表面防食処理を施した木材等の耐腐食性を有する材料により構成される。また、スクリーン１０の構成は、図３に示すものに限定されず、所定寸法を超える塵埃を通過させず、かつ、フック３０に引っ掛けることができるようになっていればよい。
【００１５】
さらに、図１では、スクリーン１０を流量調整板２０の下流側の面に取り付けた場合を示しているが、これに限らず、流量調整板２０の上流側の面に取り付けてもよい。
【００１６】
図５は、流量調整機能付スクリーン1が水路に据付けられた状態を示す斜視図である。同図に示すように、水路の流量調整機能付スクリーン1を据付ける箇所の両壁には、断面コの字型のガイド部材４０が、そのコの字型断面の凹部が水路内側を向くように取り付けられている。そして、水路両側のガイド部材４０の凹部内に流量調整機能付スクリーン1の左右両縁部が保持されることで、流量調整機能付スクリーン1が保持される。なお、ガイド部材４０によってスクリーン１０及び流量調整板２０の両方が保持されることとしてもよいし、流量調整板２０のみ、あるいは、スクリーン１０のみが保持されることとしてもよい。また、図５では、ガイド部材４０が水路の側壁表面に取り付けられるものとしているが、これに限らず、ガイド部材４０の凹部が水路壁面に露出するように水路壁面内に埋設されることとしてもよい。
【００１７】
以上説明した本実施形態の流量調整機能付スクリーン1によれば、以下の効果が得られる。
【００１８】
（１）スクリーン１０が流量調整板２０に設けられたフック３０に引っ掛けられることでスクリーン１０と流量調整板２０とが一体化されるため、水路の流量調整と塵埃流入防止とを１つの設備でまとめて行うことができる。これにより、従来のように水路の流量調整と塵埃流入防止とを別個の設備で行っていた場合に比べて、設備の設置の手間を軽減できると共に、設備コストを削減することも可能となり、さらに、設備の維持管理の手間も軽減できる。
【００１９】
（２）スクリーン１０の流量調整板２０のフック３０に引っ掛ける位置（高さ）を変えるだけで流量調整を行うことができる。このため、角落としにより流量調整を行う場合のように水圧に抗して作業を行なわなくてもよいので、流量調整の作業負担を軽減することができる。また、水門により流量調整を行う場合のように複雑な開閉機構が不要となり、構成が極めてシンプルなものとなるため、設備コストの削減を図ることができると共に、設備の維持管理の手間も軽減できる。
【００２０】
（３）スクリーン１０を引っ掛けるフック３０の高さに応じて流量調整が行われるので、上下段のフック３０の間隔を変更することで、流量調整の最小単位を任意に設定することができる。
【００２１】
なお、上記実施形態では、フック３０を高さ方向に複数段に設けることで、流量調整板２０の高さを調整できるものとしたが、これに限らず、流量調整板２０に、フック３０に引っ掛けることが可能な係合部（例えば開口部）を複数段に設けることとしてもよい。要するに、流量調整板２０のフック３０と、スクリーン１０の係合部の少なくとも一方が上下複数段に設けられればよい。
【００２２】
さらに、本発明は、スクリーンを流量調整板のフックに引っ掛ける構成に限らず、スクリーンと流量調整板とが互いに上下方向に相対移動可能に一体化され、適宜な位置で両者の相対位置を保持できる構成であればよい。例えば、流量調整板にスクリーンを上下方向にスライド可能に保持するガイド機構を設け、ボルトやピンなどで両者の位置関係を保持する構成などであってもよい。
【００２３】
なお、以上の実施形態の説明は、本発明の理解を容易にするためのものであり、本発明を限定するものではない。本発明はその趣旨を逸脱することなく、変更、改良され得ると共に本発明にはその等価物が含まれることは勿論である。
【図面の簡単な説明】
【００２４】
【図１】流量調整機能付スクリーン１の断面図である。
【図２】流量調整機能付スクリーン１の正面図である。
【図３】スクリーン１０の正面図である。
【図４】流量調整板２０の正面図である。
【図５】流量調整機能付スクリーン１が水路に据付けられた状態を示す図である。
【符号の説明】
【００２５】
１  流量調整機能付スクリーン
１０  スクリーン
２０  流量調整板
２１  把手
３０  フック
４０  ガイド部材
【図３】
2008303644.tif 000003
【図４】
2008303644.tif 000004
【図１】
2008303644.tif 000005
【図２】
2008303644.tif 000006
【図５】
2008303644.tif 000007